(57)【要約】【課題】使用済みの薬剤の登録に際して同一薬剤の使用数を確認することができるとともに、二重登録や登録忘れといった間違いを防止することができる薬剤登録装置およびプログラムを提供する。【解決手段】薬剤登録装置は、登録手段と、集計手段と、表示制御手段と、を備える。前記登録手段は、使用された薬剤および当該薬剤の使用数量を記憶部に登録する。前記集計手段は、前記登録手段によって登録された前記薬剤のうち同一の薬剤に係る使用数量を集計する。前記表示制御手段は、表示部に、前記登録手段によって登録された前記薬剤に係る薬剤情報および使用数量を表示するとともに、前記集計手段によって集計された前記同一の薬剤については集計された使用数量を当該薬剤に対応付けて表示する。【選択図】図１２
2015018450.tif 000002
【特許請求の範囲】
【請求項１】
使用された薬剤および当該薬剤の使用数量を記憶部に登録する登録手段と、
前記登録手段によって登録された前記薬剤のうち同一の薬剤に係る使用数量を集計する集計手段と、
表示部に、前記登録手段によって登録された前記薬剤に係る薬剤情報および使用数量を表示するとともに、前記集計手段によって集計された前記同一の薬剤については集計された使用数量を当該薬剤に対応付けて表示する表示制御手段と、
を備えることを特徴とする薬剤登録装置。
【請求項２】
前記表示制御手段は、前記同一の薬剤についての前記集計された使用数量の表示に際し、前記薬剤の表示順序を事前に設定されている順序から別の順序に変更する、
ことを特徴とする請求項１記載の薬剤登録装置。
【請求項３】
前記表示制御手段は、前記登録手段によって登録された順序を前記薬剤の表示順序として事前に設定している場合に、管理業務が発生する薬剤を一般の薬剤よりも上位の表示にする順序を前記薬剤の表示順序として変更する、
ことを特徴とする請求項２記載の薬剤登録装置。
【請求項４】
前記表示制御手段は、前記同一の薬剤についての前記集計された使用数量の表示後、所定の信号が入力されると、前記登録手段によって登録された前記薬剤に係る薬剤情報および使用数量の表示を前記集計手段による集計前の状態に戻す、
ことを特徴とする請求項１ないし３のいずれか一記載の薬剤登録装置。
【請求項５】
使用される薬剤に付されたコードシンボルのコード情報または使用される薬剤の外面情報を画像から読み取る読取手段と、
前記読取手段による読み取り結果として得られた情報に基づいて当該薬剤を識別する識別手段と、
を更に備え、
前記登録手段は、前記識別手段で識別された前記薬剤を前記記憶部に登録する、
ことを特徴とする請求項１ないし４のいずれか一記載の薬剤登録装置。
【請求項６】
コンピュータを、
使用された薬剤および当該薬剤の使用数量を記憶部に登録する登録手段と、
前記登録手段によって登録された前記薬剤のうち同一の薬剤に係る使用数量を集計する集計手段と、
表示部に、前記登録手段によって登録された前記薬剤に係る薬剤情報および使用数量を表示するとともに、前記集計手段によって集計された前記同一の薬剤については集計された使用数量を当該薬剤に対応付けて表示する表示制御手段と、
として機能させるためのプログラム。
【発明の詳細な説明】
【技術分野】
【０００１】
本発明の実施形態は、薬剤登録装置およびプログラムに関する。
【背景技術】
【０００２】
近年、薬剤の取り違い等の過誤の発生を防止するため、電子カルテと連動した薬剤オーダーシステムが普及しつつある。このような薬剤オーダーシステムは、例えば、患者別に取揃えた薬剤の容器に付されたバーコードで特定される薬剤情報と、患者に投薬すべき薬剤の情報とを照合し、薬剤の誤使用を防止している。このような薬剤オーダーシステムでは、あらかじめ患者毎に投薬する薬剤が医師によって指示され、定まっていることが必要である。
【０００３】
これに対し、手術室における手術等では、その場の状況に応じた医師の判断に基づいて薬剤を使う。そのため、上述のような薬剤オーダーシステムでは手術等で使用した薬剤を管理することができない。
【０００４】
したがって、手術等で使用された薬剤の管理は、看護師や薬剤師等による記録、集計となる。手術後、看護師等は、手術で使用された薬剤の容器を回収して確認する。そして、使用薬剤についての集計結果を伝票に手作業で記入した後、伝票を医事課へ提出する。
【０００５】
そこで、手術の際において、手術等で使用された薬剤のバーコードを読み取ることにより、患者毎に使用した薬剤を登録することができる薬剤登録装置が開発されている。このような薬剤登録装置によれば、手術等で使用された薬剤のバーコードを読み取って患者毎に使用した薬剤を登録する場合、登録された１アイテム（薬剤）を表示領域の１行毎にスキャン順に表示している。
【０００６】
しかしながら、使用済みの薬剤をスキャン順に並べて表示するだけでは、手術の際に断続的に多数使用するような薬剤についての総使用量が把握しづらいという問題がある。
【発明の概要】
【発明が解決しようとする課題】
【０００７】
本発明が解決しようとする課題は、使用済みの薬剤の登録に際して同一薬剤の使用数を確認することができるとともに、二重登録や登録忘れといった間違いを防止することができる薬剤登録装置およびプログラムを提供することである。
【課題を解決するための手段】
【０００８】
実施形態の薬剤登録装置は、登録手段と、集計手段と、表示制御手段と、を備える。前記登録手段は、使用された薬剤および当該薬剤の使用数量を記憶部に登録する。前記集計手段は、前記登録手段によって登録された前記薬剤のうち同一の薬剤に係る使用数量を集計する。前記表示制御手段は、表示部に、前記登録手段によって登録された前記薬剤に係る薬剤情報および使用数量を表示するとともに、前記集計手段によって集計された前記同一の薬剤については集計された使用数量を当該薬剤に対応付けて表示する。
【図面の簡単な説明】
【０００９】
【図１】図１は、実施形態にかかる薬剤管理システムの概要構成を示すブロック図である。
【図２】図２は、薬剤登録装置の外観を示す正面図である。
【図３】図３は、薬剤登録装置のハードウェア構成を示すブロック図である。
【図４】図４は、薬剤登録装置の機能構成を示すブロック図である。
【図５】図５は、処理の流れを示すフローチャートである。
【図６】図６は、ログイン画面の一例を示す説明図である。
【図７】図７は、業務選択メニュー画面の一例を示す説明図である。
【図８】図８は、患者登録画面の一例を示す説明図である。
【図９】図９は、薬剤登録画面の一例を示す説明図である。
【図１０】図１０は、薬剤登録画面の一例を示す説明図である。
【図１１】図１１は、薬剤登録画面の一例を示す説明図である。
【図１２】図１２は、集計後の薬剤登録画面の一例を示す説明図である。
【図１３】図１３は、順序変更後の薬剤登録画面の一例を示す説明図である。
【図１４】図１４は、集計確認画面の一例を示す説明図である。
【発明を実施するための形態】
【００１０】
本実施の一形態を図面に基づいて説明する。
【００１１】
図１は、実施形態にかかる薬剤管理システム１０の概要構成を示すブロック図である。図１に示すように、薬剤管理システム１０は、電子カルテサーバ１１と、医師用の情報処理端末装置１２と、看護師用の情報処理端末装置１３と、薬剤監査装置１４と、無線基地局１５及び公衆通信ネットワーク１６を介して通信ネットワーク１７に接続された医師用の携帯情報処理端末装置１８と、薬剤部サーバ１９と、複数の薬剤登録装置２０と、を備えている。
【００１２】
電子カルテサーバ１１は、電子カルテを管理し、記憶するための装置である。医師用の情報処理端末装置１２は、電子カルテの記入などを行うための装置である。看護師用の情報処理端末装置１３は、電子カルテサーバ１１が管理する電子カルテの参照及び確認を行うための装置である。薬剤監査装置１４は、電子カルテに含まれる指示書情報（例えば、処方箋情報）に基づいて薬剤の取揃え等の支援および監査を行うための装置である。薬剤部サーバ１９は、薬剤部に配置され薬剤払出等を管理するための装置である。また、薬剤部サーバ１９は、薬剤のコード情報または薬剤の外面情報（薬剤のラベルを表す特徴量、薬剤の色合いや表面の凹凸状況等の表面の状態を表す特徴量など）に対応付けて薬剤に係る薬剤情報（名称、量など）を登録している。
【００１３】
薬剤登録装置２０は、手術室に配置され、手術中に使用された薬剤、あるいは救急の場などにおいて緊急的に使用された薬剤の登録支援を行うための装置である。本実施形態においては、複数台の薬剤登録装置２０は、手術の際においては手術室内の複数の場所にそれぞれ配置されるものであって、各場所の担当の看護師によって手術中に使用された薬剤の登録支援に用いられることを想定する。
【００１４】
複数台の薬剤登録装置２０は、最終的に登録データの合算を行う装置を親端末、それ以外の装置を子端末として、役割を分担する。このような親端末または子端末としての設定は、後述する制御プログラムを親端末と子端末とで変えるものであっても良いし、親端末と子端末とで同一の制御プログラムをインストールしておいて運用を変えるものであっても良い。
【００１５】
上記構成において、電子カルテサーバ１１、情報処理端末装置１２、情報処理端末装置１３、薬剤監査装置１４、薬剤部サーバ１９及び複数台の薬剤登録装置２０は、通信ネットワーク１７に接続されている。
【００１６】
図２は、薬剤登録装置２０の外観を示す正面図である。図２に示すように、薬剤登録装置２０は、大別すると、薬剤登録装置２０の制御主体となる装置本体部２４と、スキャナ２２と、各種情報をプリントアウトするためのプリンタ２３とを備えている。
【００１７】
装置本体部２４は、オペレータとなる看護師が各種操作を行うとともに、手術中に使用された薬剤のリスト等の各種情報を表示可能なタッチパネルディスプレイ２１を備えている。
【００１８】
スキャナ２２は、カラーＣＣＤ（Charge  Coupled  Device）イメージセンサやカラーＣＭＯＳ（Complementary  Metal-Oxide  Semiconductor）イメージセンサ等のイメージセンサ（図示せず）とＬＥＤなどの光源（図示せず）とを有している。スキャナ２２は、看護師ＩＤ（Identification）のコードシンボル、患者ＩＤのコードシンボル、薬剤のコードシンボル、薬剤の画像などの撮像を行う。スキャナ２２が所定のフレームレートで順次撮像したフレーム画像（撮像画像）は、後述するＲＡＭ（Random  Access  Memory）３３（図３参照）に保存される。
【００１９】
なお、スキャナ２２は、図２に示すようなテーブル上に載置する形状に限るものではなく、床上に立設させるスタンド形状であっても良い。
【００２０】
さらに、薬剤登録装置２０は、外部記憶媒体としてのＵＳＢ（Universal  Serial  Bus）メモリ５０（図３参照）などが接続できるコネクタの役割を果たすＵＳＢポート４１を備えている。なお、子端末となる薬剤登録装置２０については、ＵＳＢメモリ５０を予め端末のＵＳＢポート４１に接続しておく。
【００２１】
また、薬剤登録装置２０は、薬剤の重量を測定する秤や、薬剤に付されたＲＦＩＤ（Radio  Frequency  IDentification）との間でデータの読取り／書込みを行うＲＦＩＤリーダライタ等を備えていても良い。
【００２２】
図３は、薬剤登録装置２０のハードウェア構成を示すブロック図である。図３に示すように、薬剤登録装置２０は、装置全体を制御するＭＰＵ（Micro  Processing  Unit）３１と、ＲＯＭ（Read  Only  Memory）３２と、ＲＡＭ（Random  Access  Memory）３３と、外部記憶装置３４と、通信インタフェース動作を行う通信インタフェース（Ｉ／Ｆ）３８とを装置本体部２４に備えている。ＲＯＭ３２は、制御プログラムを含む各種データを不揮発的に記憶する。ＲＡＭ３３は、ワークエリアとして機能するとともに、各種データを一時的に記憶する。外部記憶装置３４は、データベース等の大容量データや制御プログラムを記憶可能なハードディスクドライブやＳＳＤ（Solid  State  Drive）によって構成されている。
【００２３】
ここで、タッチパネルディスプレイ２１、スキャナ２２、プリンタ２３、通信インタフェース３８及びＵＳＢポート４１は、入出力Ｉ／Ｏ３９を介してバス４０に接続されている。このバス４０には、ＭＰＵ３１、ＲＯＭ３２、ＲＡＭ３３及び外部記憶装置３４が接続されている。
【００２４】
なお、タッチパネルディスプレイ２１は、表示部であるディスプレイ３５及びタッチパネル３６を主体に構成されている。
【００２５】
また、外部記憶装置３４は、手術中に使用された薬剤についての登録結果を記憶する使用薬剤記憶テーブルＴ１を備えている。
【００２６】
また、外部記憶装置３４は、後述する薬剤登録処理において薬剤のスキャン順に表示された薬剤の数量を薬剤毎に集計して表示する際に、表示順を任意の順序に設定するための表示順設定テーブルＴ２を備えている。このように表示順設定テーブルＴ２に表示順を任意の順序にする設定を有することにより、薬剤の集計の際に表示順設定テーブルＴ２に設定した順序に薬剤の表示順序を変更することができる。
【００２７】
表示順設定テーブルＴ２に設定される表示順としては、例えば下記の設定が挙げられる。
・５０音順
・アルファベット順
・分類順
・スキャン順
・優先度順
【００２８】
例えば、分類順や優先度順としては、一般の薬剤に比べて、管理業務が発生する麻薬や麻酔薬等の薬剤を上位分類としたり、優先順位を上位としたりすることができる。
【００２９】
なお、本実施形態においては、薬剤登録装置２０のスキャナ２２によってスキャンした順序である「スキャン順」が初期設定として設定されている。
【００３０】
このような構成により、薬剤登録装置２０のＭＰＵ３１は、ＲＯＭ３２や外部記憶装置３４に記憶された制御プログラムに従って動作することで、手術中に使用された薬剤の登録支援を行う。
【００３１】
次に、実施形態にかかる薬剤登録装置２０が有する特徴的な機能について説明する。図４は、薬剤登録装置２０の機能構成を示すブロック図である。ＭＰＵ３１は、ＲＯＭ３２や外部記憶装置３４に記憶された制御プログラムに従って動作することで、図４に示すように、登録手段３１１と、表示制御手段３１２と、読取手段３１３と、識別手段３１４と、集計手段３１５と、として機能する。
【００３２】
読取手段３１３は、スキャナ２２がスキャンした撮像画像から、手術に使用される薬剤に付されたコードシンボルのコード情報または手術に使用される薬剤の全部または一部の外面情報（薬剤のラベルを表す特徴量、薬剤の色合いや表面の凹凸状況等の表面の状態を表す特徴量など）を読み取る。バーコードや二次元コードなどのコードシンボルからコード情報を検出する処理については、従来からある技術なのでここでの説明は省略する。
【００３３】
識別手段３１４は、読取手段３１３による読み取り結果として得られた情報（コード情報または外面情報）に基づいて薬剤を識別する。コード情報に基づいて薬剤を識別する方法は、予めコード情報に対応付けて薬剤の薬剤情報（名称、量など）をテーブルとして記憶しておき、コード情報に基づく薬剤の薬剤情報をテーブルから抽出するようにすれば良い。また、外面情報（薬剤のラベルを表す特徴量、薬剤の色合いや表面の凹凸状況等の表面の状態を表す特徴量など）に基づいて薬剤を識別する方法は、予め外面情報に対応付けて薬剤の薬剤情報（名称、量など）をテーブルとして記憶しておき、外面情報に基づく薬剤の薬剤情報をテーブルから抽出するようにすれば良い。
【００３４】
登録手段３１１は、識別手段３１４で識別された手術に使用される薬剤を、記憶部として機能する外部記憶装置３４の使用薬剤記憶テーブルＴ１に登録する。
【００３５】
集計手段３１５は、登録手段３１１によって登録された薬剤のうち同一の薬剤に係る使用数量を集計する。
【００３６】
表示制御手段３１２は、表示部であるディスプレイ３５に、登録手段３１１によって登録された薬剤に係る薬剤情報および使用数量を表示するとともに、集計手段３１５によって集計された同一の薬剤については集計された使用数量を当該薬剤に対応付けて表示する。
【００３７】
また、表示制御手段３１２は、同一の薬剤についての集計された使用数量の表示に際し、薬剤の表示順序を事前に設定されている順序から別の順序に変更する。さらに、表示制御手段３１２は、同一の薬剤についての集計された使用数量の表示後、所定の信号が入力されると、登録手段３１１によって登録された薬剤に係る薬剤情報および使用数量の表示を集計手段３１５による集計前の状態に戻す。
【００３８】
次に、上述した実施形態にかかる薬剤登録装置２０のＭＰＵ３１が制御プログラムに従って実行する薬剤登録処理について説明する。実施形態にかかる薬剤登録装置２０は、手術中に使用された薬剤のコードシンボルや薬剤の画像などをスキャンし、手術後の薬剤登録処理を実行する。
【００３９】
図５は、薬剤登録装置２０のＭＰＵ３１が制御プログラムに従って実行する処理の流れを示すフローチャートである。図５に示すように、薬剤登録装置２０のＭＰＵ３１は、初期状態として、ディスプレイ３５にログイン画面を表示する（ステップＳ１）。薬剤登録装置２０の操作が許可されている各オペレータ（看護師）は、自身が保持するＩＤカードの認証により薬剤登録装置２０の操作が可能になるものとする。
【００４０】
図６は、ログイン画面Ｇ１の一例を示す説明図である。ログイン画面Ｇ１には、図６に示すように、「ＩＤカードを読み取らせてください。」というガイドコメント並びにＩＤカードに付されている看護師ＩＤのコードシンボルをスキャナ２２に読み込ませることを促すガイド画像が表示されている。
【００４１】
したがって、オペレータ（看護師）は、ログイン処理を行うために、自己のＩＤカードに付された看護師ＩＤのコードシンボルをスキャナ２２の前にかざして、看護師ＩＤを読み込ませる。
【００４２】
なお、薬剤登録装置２０のＭＰＵ３１は、看護師ＩＤが認証できない場合（ステップＳ２のＮｏ）、ステップＳ１に戻り、ログイン画面Ｇ１を再度表示する。
【００４３】
薬剤登録装置２０のＭＰＵ３１は、ログイン処理により看護師ＩＤを認証すると（ステップＳ２のＹｅｓ）、ディスプレイ３５の表示画面に業務選択メニュー画面を表示する（ステップＳ３）。
【００４４】
図７は、業務選択メニュー画面Ｇ１１の一例を示す説明図である。業務選択メニュー画面Ｇ１１には、図７に示すように、「薬剤登録」メニューボタンＢ１の他、「登録結果合算」メニューボタンＢ２、「データ出力」メニューボタンＢ３などの各種メニューが表示されたボタンが一覧表示されている。
【００４５】
したがって、オペレータ（看護師）は、業務選択メニュー画面Ｇ１１に表示された各種メニューボタンから所望のメニューボタンを選択する。なお、本実施形態においては、「薬剤登録」メニューボタンＢ１が選択された場合について説明する。
【００４６】
薬剤登録装置２０のＭＰＵ３１は、業務選択メニュー画面Ｇ１１の「薬剤登録」メニューボタンＢ１が選択されると（ステップＳ４のＹｅｓ）、ディスプレイ３５の表示画面に患者登録画面を表示する（ステップＳ６）。なお、業務選択メニュー画面Ｇ１１の「薬剤登録」メニューボタンＢ１以外のボタンが選択された場合には（ステップＳ４のＮｏ、ステップＳ５のＹｅｓ）、その他の処理を実行する。
【００４７】
図８は、患者登録画面Ｇ２の一例を示す説明図である。患者登録画面Ｇ２には、図８に示すように、「患者ＩＤを読み取らせてください。」というガイドコメント並びに患者のリストバンドに付されている患者ＩＤのコードシンボルをスキャナ２２に読み込ませることを促すガイド画像が表示されている。
【００４８】
したがって、オペレータ（看護師）は、患者登録処理を行うために、患者のリストバンドに付されている患者ＩＤのコードシンボルをスキャナ２２の前にかざして、患者ＩＤを読み込ませる。
【００４９】
なお、上述したような手術を行う患者についての患者登録処理は、手術室内の複数の場所にそれぞれ配置された全ての薬剤登録装置２０において実行される。
【００５０】
薬剤登録装置２０のＭＰＵ３１は、患者登録処理により患者ＩＤを登録すると（ステップＳ７のＹｅｓ）、ディスプレイ３５の表示画面に手術中に追加使用された薬剤を登録するための薬剤登録画面を表示する（ステップＳ８：表示制御手段３１２）。なお、薬剤登録装置２０のＭＰＵ３１は、患者ＩＤが登録できない場合（ステップＳ７のＮｏ）、ステップＳ５に戻り、患者登録画面Ｇ２を再度表示する。
【００５１】
図９は、薬剤登録画面Ｇ３の一例を示す説明図である。薬剤登録画面Ｇ３には、図９に示すように、初期状態では、「薬剤登録開始」というコメントが透かし文字（ウォーターマーク）として背景に表示された登録表示部Ａが表示されている。登録表示部Ａは、手術中に追加使用された薬剤を表示するエリアである。透かし文字は、手術中に追加使用された薬剤の表示の邪魔にならないように、薬剤の表示の色に比べて薄い色で表示される。
【００５２】
また、図９に示すように、登録表示部Ａには、患者情報（患者ＩＤ、年齢、性別など）を表示する患者情報表示部Ｂが表示されている。このような患者に関する患者情報（患者ＩＤ、年齢、性別など）は、例えば患者ＩＤに対応付けて電子カルテサーバ１１に登録されている。
【００５３】
さらに、薬剤登録画面Ｇ３には、図９に示すように、初期状態では、薬剤登録処理を行うために、薬剤に付されているコードシンボル等をスキャナ２２で読み込ませるためのガイド画像Ｃが表示されている。
【００５４】
さらに、薬剤登録画面Ｇ３には、図９に示すように、業務選択メニュー画面Ｇ１１に戻るための「業務選択」ボタンＢ４も表示されている。
【００５５】
看護師は、手術の際に医師の指示があった場合、指示があった薬剤を医師に手渡す。その後、看護師は、医師が使い終わった薬剤の空き容器を受け取る。
【００５６】
オペレータ（看護師）は、医師が使い終わった薬剤の空き容器を受け取ると、ガイド画像Ｃに従って、薬剤登録画面Ｇ３がディスプレイ３５に表示された状態で、手術中に追加使用された薬剤のコードシンボルや薬剤をスキャナ２２の前にかざして、使用済み薬剤のコードシンボルまたは薬剤の画像を読み取る。なお、看護師は、使用済み薬剤のコード情報の読み取りの際に使用する薬剤登録装置２０について、当該看護師の担当する作業場所に近い任意のものを使用することができる。
【００５７】
薬剤登録装置２０のＭＰＵ３１は、スキャナ２２がスキャンした撮像画像から得られた薬剤のコード情報または薬剤の外面情報（薬剤のラベルを表す特徴量、薬剤の色合いや表面の凹凸状況等の表面の状態を表す特徴量など）の入力および図示しないキーボードを用いた数量の入力に待機する（ステップＳ９：読取手段３１３）。
【００５８】
薬剤登録装置２０のＭＰＵ３１は、情報の入力があると（ステップＳ９のＹｅｓ：読取手段３１３）、入力された情報に基づいて手術中に追加使用された薬剤の薬剤情報（名称、量など）および数量を薬剤部サーバ１９から呼び出して外部記憶装置３４の使用薬剤記憶テーブルＴ１に患者ＩＤに対応付けて登録データとして登録する（ステップＳ１０：識別手段３１４、登録手段３１１）。また、薬剤登録装置２０のＭＰＵ３１は、登録された薬剤をディスプレイ３５に表示された薬剤登録画面Ｇ３の登録表示部Ａに表示する（ステップＳ１１：表示制御手段３１２）。
【００５９】
図１０は、薬剤登録画面Ｇ３の一例を示す説明図である。薬剤を登録後の薬剤登録画面Ｇ３には、図１０に示すように、薬剤部サーバ１９から取得した登録した薬剤の薬剤情報（名称、量など）および数量が登録表示部Ａに薬剤のスキャン順にリスト表示されていく。
【００６０】
さらに、薬剤登録画面Ｇ３には、図１０に示すように、同一の薬剤について数量を薬剤毎に集計して表示するための「集計」ボタンＢ５、「確認」ボタンＢ８、「印刷」ボタンＢ９も表示されている。
【００６１】
薬剤登録装置２０のＭＰＵ３１は、「集計」ボタンＢ５が選択されると（ステップＳ９のＮｏ、ステップＳ１２のＹｅｓ）、図１０に示した薬剤登録画面Ｇ３上にまとめ表示を実行する旨をポップアップ表示する（ステップＳ１３）。
【００６２】
図１１は、薬剤登録画面Ｇ３の一例を示す説明図である。図１１に示すように、「集計」ボタンＢ５が選択されると、薬剤登録画面Ｇ３上に「まとめ表示とは、複数の同じ薬剤名の数量をまとめて表示します。」および「※まとめ表示後、元に戻すことはできません。」というポップアップＰ１が表示される。また、ポップアップＰ１には、「確定」ボタンＢ６および「キャンセル」ボタンＢ７も表示される。
【００６３】
オペレータ（看護師）は、まとめ表示を行わない場合には、「キャンセル」ボタンＢ７を操作し、まとめ表示を行う場合には、「確定」ボタンＢ６を操作する。
【００６４】
薬剤登録装置２０のＭＰＵ３１は、「確定」ボタンＢ６が選択されると（ステップＳ１４のＹｅｓ）、同一の薬剤についての数量を薬剤毎に集計する処理を実行し、薬剤登録画面Ｇ３を更新する（ステップＳ１５：集計手段３１５、表示制御手段３１２）。
【００６５】
ここで、図１２は集計後の薬剤登録画面Ｇ３の一例を示す説明図である。図１２に示すように、集計後の薬剤登録画面Ｇ３は、薬剤スキャン時には初期設定として事前に設定されているスキャン順に表示し、「確定」ボタンＢ６が選択された場合には、数量を薬剤毎に集計して表示する。このようにすることで、使用済みの薬剤数が多い場合であっても、薬剤登録画面Ｇ３は、薬剤の数を間違えないように見易く表示することが可能になる。
【００６６】
以上のように「集計」ボタンＢ５および「確定」ボタンＢ６が選択された場合には、数量を薬剤毎に集計して表示することで、薬剤毎にトータルの登録本数がわかるようになるので、同一薬剤の使用数を確認することができるとともに、二重登録や登録忘れといった間違いを防止することができる。
【００６７】
加えて、薬剤登録装置２０のＭＰＵ３１は、「集計」ボタンＢ５および「確定」ボタンＢ６が選択された場合（ステップＳ１４のＹｅｓ）、ステップＳ１５において、表示順の初期設定として事前に設定されているスキャン順を表示順設定テーブルＴ２に設定されている任意の順序に変更する。例えば、分類順や優先度順として、管理業務が発生する麻薬や麻酔薬等の薬剤が一般の薬剤に比べて上位分類とされていたり、優先順位が上位とされていたりする場合には、薬剤登録装置２０のＭＰＵ３１は、当該薬剤を一般の薬剤に比べて上位に表示する。
【００６８】
ここで、図１３は順序変更後の薬剤登録画面Ｇ３の一例を示す説明図である。図１３に示すように、順序変更後の薬剤登録画面Ｇ３は、管理業務が発生する麻薬や麻酔薬等の薬剤Ｂが一般の薬剤Ａよりも上位の表示に変更している。このように薬剤の表示順序を事前に設定されている順序から別の順序に変更することで見易くすることができる。また、麻薬や麻酔薬等の管理義務がある薬剤を上位表示に変更することで、麻薬や麻酔薬等の管理義務がある薬剤の数え間違いを防止することができる。
【００６９】
なお、上述のようにして数量を薬剤毎に集計して表示した後、新たにスキャナ２２によりスキャンされて登録された薬剤は、図１２に示した集計後の薬剤登録画面Ｇ３や図１３に示した順序変更後の薬剤登録画面Ｇ３の登録表示部Ａに追加表示される。なお、「集計」ボタンＢ５が操作された後、ステップＳ９において新たにスキャナ２２によりスキャンされて登録された薬剤についても同一の薬剤が表示されている場合には、数量を薬剤毎に集計して表示する。また、新たにスキャナ２２によりスキャンされて登録された薬剤について、必要がある場合には、表示順の初期設定として事前に設定されているスキャン順を表示順設定テーブルＴ２に設定されている任意の順序に変更する。
【００７０】
一方、薬剤登録装置２０のＭＰＵ３１は、「キャンセル」ボタンＢ７が選択されると（ステップＳ１４のＮｏ、ステップＳ１６のＹｅｓ）、そのまま図１０に示す薬剤登録画面Ｇ３に戻る。
【００７１】
加えて、薬剤登録装置２０のＭＰＵ３１は、「印刷」ボタンＢ９が選択されると（ステップＳ９のＮｏ、ステップＳ１２のＮｏ、ステップＳ１７のＹｅｓ）、薬剤登録処理を終了し、登録された使用済みの薬剤の登録データをプリンタ２３より帳票出力し（ステップＳ１８）、図７に示す業務選択メニュー画面Ｇ１１に戻る。この場合、帳票出力される登録データは、薬剤登録画面Ｇ３の登録表示部Ａにおいて集計処理や順序変更処理が行われた場合、集計処理や順序変更処理の実行結果を反映する。
【００７２】
また、薬剤登録装置２０のＭＰＵ３１は、「確認」ボタンＢ８が選択されると（ステップＳ９のＮｏ、ステップＳ１２のＮｏ、ステップＳ１７のＮｏ、ステップＳ１９のＹｅｓ）、図１０に示した薬剤登録画面Ｇ３上に集計確認画面を表示する（ステップＳ２０：集計手段３１５、表示制御手段３１２）。
【００７３】
図１４は、集計確認画面Ｇ４の一例を示す説明図である。図１４に示すように、「確認」ボタンＢ８が選択されると、集計確認画面Ｇ４が表示される。集計確認画面Ｇ４は、上述した「集計」ボタンＢ５および「確定」ボタンＢ６が選択された場合と同様に、薬剤登録画面Ｇ３に表示されている薬剤の登録データの数量を薬剤毎に集計するとともに、必要がある場合には、表示順の初期設定として事前に設定されているスキャン順を表示順設定テーブルＴ２に設定されている任意の順序に変更した結果を表示する。また、集計確認画面Ｇ４には、「確定」ボタンＢ１０および「戻る」ボタンＢ１１も表示される。
【００７４】
オペレータ（看護師）は、集計確認画面Ｇ４の登録表示部Ａに表示された登録データについて確認ができた場合には、「確定」ボタンＢ１０を操作し、集計確認画面Ｇ４の登録表示部Ａに表示された登録データについて追加や編集が必要な場合には、「戻る」ボタンＢ１１を操作する。
【００７５】
薬剤登録装置２０のＭＰＵ３１は、「確定」ボタンＢ１０が選択されると（ステップＳ２１のＹｅｓ）、薬剤登録処理を終了し、登録された使用済みの薬剤の登録データをプリンタ２３より帳票出力し（ステップＳ２２）、図７に示す業務選択メニュー画面Ｇ１１に戻る。この場合、帳票出力される登録データは、集計確認画面Ｇ４の登録表示部Ａに表示された登録データである。すなわち、帳票出力される登録データは、集計処理や順序変更処理が行われた場合、集計処理や順序変更処理の実行結果を反映したものである。
【００７６】
一方、薬剤登録装置２０のＭＰＵ３１は、「戻る」ボタンＢ１１が選択されて所定の信号が入力されると（ステップＳ２１のＮｏ、ステップＳ２３のＹｅｓ）、集計処理や順序変更処理が行われた集計確認画面Ｇ４の登録表示部Ａに表示された登録データを、初期設定として事前に設定されているスキャン順のデータに戻し（ステップＳ２４：表示制御手段３１２）、図１０に示す薬剤登録画面Ｇ３を表示する。
【００７７】
このように、集計確認画面Ｇ４の登録表示部Ａに表示された登録データについて追加や編集が必要な場合には、初期設定として事前に設定されているスキャン順のデータに戻すことにより、スキャンした順序で登録データを確認することができるので、例えば誤りのあるデータを認識し易くなり、当該データについての追加や編集が容易になる。
【００７８】
このように、実施形態の薬剤登録装置２０によれば、タッチパネルディスプレイ２１に、登録された薬剤に係る薬剤情報および使用数量を表示するとともに、登録された薬剤のうち同一の薬剤に係る使用数量を集計し、集計された同一の薬剤については集計された使用数量を当該薬剤に対応付けて表示する。これにより、薬剤毎にトータルの登録本数がわかるようになるので、同一薬剤の使用数を確認することができるとともに、二重登録や登録忘れといった間違いを防止することができる。
【００７９】
また、実施形態の薬剤登録装置２０によれば、同一の薬剤についての集計された使用数量の表示に際し、薬剤の表示順序を事前に設定されている順序から別の順序に変更する。これにより、薬剤の表示順序を事前に設定されている順序から別の順序に変更することで見易くすることができる。また、麻薬や麻酔薬等の管理義務がある薬剤を上位表示に変更することで、麻薬や麻酔薬等の管理義務がある薬剤の数え間違いを防止することができる。
【００８０】
なお、本実施形態の薬剤登録装置２０で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００８１】
また、本実施形態の薬剤登録装置２０で実行される制御プログラムを、インターネット等のネットワークに接続されたコンピュータ上に格納し、ネットワーク経由でダウンロードさせることにより提供するように構成しても良い。また、本実施形態の薬剤登録装置２０で実行される制御プログラムをインターネット等のネットワーク経由で提供または配布するように構成しても良い。
【００８２】
また、本実施形態の薬剤登録装置２０で実行される制御プログラムを、ＲＯＭ等に予め組み込んで提供するように構成してもよい。
【００８３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８４】
３４      記憶部
３５      表示部
３１１    登録手段
３１２    表示制御手段
３１３    読取手段
３１４    識別手段
３１５    集計手段
【先行技術文献】
【特許文献】
【００８５】
【特許文献１】特開２００２−１６３３５７号公報
【図１】
2015018450.tif 000003
【図２】
2015018450.tif 000004
【図３】
2015018450.tif 000005
【図４】
2015018450.tif 000006
【図５】
2015018450.tif 000007
【図６】
2015018450.tif 000008
【図７】
2015018450.tif 000009
【図８】
2015018450.tif 000010
【図９】
2015018450.tif 000011
【図１０】
2015018450.tif 000012
【図１１】
2015018450.tif 000013
【図１２】
2015018450.tif 000014
【図１３】
2015018450.tif 000015
【図１４】
2015018450.tif 000016